【手続補正書】
【提出日】平成20年7月9日(2008.7.9)
【手続補正１】
【補正対象書類名】特許請求の範囲
【補正対象項目名】全文
【補正方法】変更
【補正の内容】
【特許請求の範囲】
【請求項１】
指定した発信先電話番号に対応する電話装置との間で通話用の通信を確立するための入力操作である通話開始操作が行われる操作手段と、
前記操作手段で通話開始操作が行われた場合に、その通話開始操作により指定された発信先電話番号に対応する電話装置との間で通話用の通信を確立するための発信処理を行う通信手段と、
画像を表示する表示手段と、
前記操作手段で通話開始操作が行われた場合に、その通話開始操作により指定された発信先電話番号に対応するウェブページ画像を前記表示手段に表示させるウェブページ提供手段と、を備え、
前記ウェブページ提供手段は、前記操作手段で通話開始操作が行われ、かつ、前記通信手段による発信処理によって確立された通話用の通信が切断された場合に、その通話開始操作により指定された発信先電話番号に対応するウェブページ画像を前記表示手段に表示させる
ことを特徴とする電話通信システム。
【請求項２】
指定した発信先電話番号に対応する電話装置との間で通話用の通信を確立するための入力操作である通話開始操作が行われる操作手段と、
前記操作手段で通話開始操作が行われた場合に、その通話開始操作により指定された発信先電話番号に対応する電話装置との間で通話用の通信を確立するための発信処理を行う通信手段と、
画像を表示する表示手段と、
前記操作手段で通話開始操作が行われた場合に、その通話開始操作により指定された発信先電話番号に対応するウェブページ画像を前記表示手段に表示させるウェブページ提供手段と、を備え、
前記通信手段は、前記ウェブページ提供手段により表示されたウェブページ画像に対する操作が前記操作手段で行われるまで、前記発信処理により通話用の通信を確立することが禁止されている
ことを特徴とする電話通信システム。
【請求項３】
指定した発信先電話番号に対応する電話装置との間で通話用の通信を確立するための入力操作である通話開始操作が行われる操作手段と、
前記操作手段で通話開始操作が行われた場合に、その通話開始操作により指定された発信先電話番号に対応する電話装置との間で通話用の通信を確立するための発信処理を行う通信手段と、
画像を表示する表示手段と、
前記操作手段で通話開始操作が行われた場合に、その通話開始操作により指定された発信先電話番号に対応するウェブページ画像を前記表示手段に表示させるウェブページ提供手段と、を備え、
前記ウェブページ提供手段は、前記操作手段で行われた通話開始操作により指定された発信先電話番号に対応し、かつ、発信元電話番号に対応するウェブページ画像を前記表示手段に表示させる
ことを特徴とする電話通信システム。
【請求項４】
前記ウェブページ提供手段は、
発信先電話番号に対応するウェブページ画像に関する情報であるウェブページ情報を記憶する記憶手段と、
前記操作手段で通話開始操作が行われた場合に、その通話開始操作により指定された発信先電話番号に対応するウェブページ情報を前記記憶手段から取得するページ情報取得手段と、
前記ページ情報取得手段により取得されたウェブページ情報に基づくウェブページ画像を前記表示手段に表示させるウェブページ表示処理手段と、を備えている
ことを特徴とする請求項１から請求項３のいずれかに記載の電話通信システム。
【請求項５】
前記操作手段、前記通信手段及び前記表示手段を有する発信元電話装置と、前記発信元電話装置との間で通話用の通信を確立可能に構成された発信先電話装置と、を備え、
前記ウェブページ提供手段は、
前記発信先電話装置に対応するウェブページ画像に関する情報であるウェブページ情報を記憶する記憶手段と、
前記発信元電話装置の通信手段により前記発信先電話装置との間で通話用の通信を確立するための発信処理が行われたことを検出する検出手段と、
前記検出手段により発信処理が行われたことが検出された場合に、前記記憶手段に記憶されている前記発信先電話装置に対応するウェブページ情報を取得するページ情報取得手段と、
前記ページ情報取得手段により取得されたウェブページ情報を前記発信元電話装置へ送信する送信手段と、
前記発信元電話装置に設けられ、前記送信手段からのウェブページ情報を受信してそのウェブページ情報に基づくウェブページ画像を前記表示手段に表示させるウェブページ表示処理手段と、を備えている
ことを特徴とする請求項１から請求項３のいずれかに記載の電話通信システム。
【請求項６】
前記記憶手段は、前記ウェブページ情報としてウェブページ画像のアドレスを記憶しており、
前記ウェブページ表示処理手段は、
ウェブページ画像のアドレスからそのウェブページ画像を表すウェブページデータを取得するデータ取得手段と、
前記データ取得手段により取得されたウェブページデータの表すウェブページ画像を前記表示手段に表示させる画像表示処理手段と、を備えている
ことを特徴とする請求項４又は請求項５に記載の電話通信システム。
【請求項７】
前記記憶手段は、前記ウェブページ情報としてウェブページ画像を表すウェブページデータを記憶しており、
前記ウェブページ表示処理手段は、ウェブページデータの表すウェブページ画像を前記表示手段に表示させる
ことを特徴とする請求項４又は請求項５に記載の電話通信システム。
【請求項８】
指定した発信先電話番号に対応する電話装置との間で通話用の通信を確立するための入力操作である通話開始操作が行われる操作手段と、
前記操作手段で通話開始操作が行われた場合に、その通話開始操作により指定された発信先電話番号に対応する電話装置との間で通話用の通信を確立するための発信処理を行う通信手段と、
画像を表示する表示手段と、
前記操作手段で通話開始操作が行われた場合に、その通話開始操作により指定された発信先電話番号に対応するウェブページ情報を、発信先電話番号に対応するウェブページ画像に関する情報であるウェブページ情報を記憶している外部記憶手段から取得するページ情報取得手段と、
前記ページ情報取得手段により取得されたウェブページ情報に基づくウェブページ画像を前記表示手段に表示させるウェブページ表示処理手段と、を備えており、
前記ウェブページ表示処理手段は、前記操作手段で通話開始操作が行われ、かつ、前記通信手段による発信処理によって確立された通話用の通信が切断された場合に、その通話開始操作により指定された発信先電話番号に対応するウェブページ画像を前記表示手段に表示させる
ことを特徴とする電話装置。
【請求項９】
指定した発信先電話番号に対応する電話装置との間で通話用の通信を確立するための入力操作である通話開始操作が行われる操作手段と、
前記操作手段で通話開始操作が行われた場合に、その通話開始操作により指定された発信先電話番号に対応する電話装置との間で通話用の通信を確立するための発信処理を行う通信手段と、
画像を表示する表示手段と、
前記操作手段で通話開始操作が行われた場合に、その通話開始操作により指定された発信先電話番号に対応するウェブページ情報を、発信先電話番号に対応するウェブページ画像に関する情報であるウェブページ情報を記憶している外部記憶手段から取得するページ情報取得手段と、
前記ページ情報取得手段により取得されたウェブページ情報に基づくウェブページ画像を前記表示手段に表示させるウェブページ表示処理手段と、を備えており、
前記通信手段は、前記ウェブページ提供手段により表示されたウェブページ画像に対する操作が前記操作手段で行われるまで、前記発信処理により通話用の通信を確立することが禁止されている
ことを特徴とする電話装置。
【請求項１０】
コンピュータを、請求項８または請求項９に記載の通信手段，ページ情報取得手段，およびウェブページ表示処理手段として機能させるためのプログラム。
【手続補正２】
【補正対象書類名】明細書
【補正対象項目名】０００７
【補正方法】変更
【補正の内容】
【０００７】
上記目的を達成するためになされた本発明の請求項１に記載の電話通信システムは、通話開始操作（指定した発信先電話番号に対応する電話装置との間で通話用の通信を確立するための入力操作のこと。換言すれば、電話をかける操作のことであり、例えば、数字の入力や登録済電話番号の選択等によって発信先電話番号を指定した後、通話開始を指示する入力操作。）が行われる操作手段と、操作手段で通話開始操作が行われた場合に、その通話開始操作により指定された発信先電話番号に対応する電話装置との間で通話用の通信を確立するための発信処理を行う通信手段と、画像を表示する表示手段と、操作手段で通話開始操作が行われた場合に、その通話開始操作により指定された発信先電話番号に対応するウェブページ画像を表示手段に表示させるウェブページ提供手段と、を備えている。
上述したウェブページ提供手段は、操作手段で通話開始操作が行われ、かつ、通信手段による発信処理によって確立された通話用の通信が切断された場合に、その通話開始操作により指定された発信先電話番号に対応するウェブページ画像を表示手段に表示させる。
【手続補正３】
【補正対象書類名】明細書
【補正対象項目名】０００８
【補正方法】変更
【補正の内容】
【０００８】
このような請求項１に記載の電話通信システムによれば、通常の電話をかける操作（通話開始操作）によってウェブページ画像が自動的に表示されるため、極めて簡単な操作によりウェブページ画像を閲覧することが可能となる。なお、本電話通信システムは、例えば、電話装置と他の装置とがネットワークを介して通信するシステムとして構成することも可能であり、また、携帯電話端末等の電話装置単体によって構成することも可能である。また、このような構成の電話通信システムでは、通話のための通信が終了した後に自動的にウェブページ画像が表示される。このため、例えば通話が終了した後にお礼のメッセージを表すウェブページ画像を表示させるといった利用が可能となる。
請求項２に記載の電話通信システムは、指定した発信先電話番号に対応する電話装置との間で通話用の通信を確立するための入力操作である通話開始操作が行われる操作手段と、操作手段で通話開始操作が行われた場合に、その通話開始操作により指定された発信先電話番号に対応する電話装置との間で通話用の通信を確立するための発信処理を行う通信手段と、画像を表示する表示手段と、操作手段で通話開始操作が行われた場合に、その通話開始操作により指定された発信先電話番号に対応するウェブページ画像を表示手段に表示させるウェブページ提供手段と、を備えている。
そして上記通信手段は、ウェブページ提供手段により表示されたウェブページ画像に対する操作が操作手段で行われるまで、発信処理により通話用の通信を確立することが禁止されていることを特徴とする。
このような構成の電話通信システムによれば、ウェブページ画像に対する操作が行われることにより電話がつながるため、必要な場合にのみ電話をつなげるといった利用が可能となる。
請求項３に記載の電話通信システムは、指定した発信先電話番号に対応する電話装置との間で通話用の通信を確立するための入力操作である通話開始操作が行われる操作手段と、操作手段で通話開始操作が行われた場合に、その通話開始操作により指定された発信先電話番号に対応する電話装置との間で通話用の通信を確立するための発信処理を行う通信手段と、画像を表示する表示手段と、操作手段で通話開始操作が行われた場合に、その通話開始操作により指定された発信先電話番号に対応するウェブページ画像を表示手段に表示させるウェブページ提供手段と、を備えている。
そして、上記ウェブページ提供手段は、操作手段で行われた通話開始操作により指定された発信先電話番号に対応し、かつ、発信元電話番号に対応するウェブページ画像を表示手段に表示させることを特徴とする。
このような電話通信システムによれば、発信元に特化したウェブページ画像を提供することができる。例えば、発信元と発信先との間で行われた取引履歴を表すウェブページ画像を表示することができる。
【手続補正４】
【補正対象書類名】明細書
【補正対象項目名】０００９
【補正方法】変更
【補正の内容】
【０００９】
ところで、ウェブページ提供手段は、具体的には、例えば請求項４又は請求項５のように構成することができる。
すなわち、請求項４に記載の電話通信システムでは、上記請求項１から請求項３のいずれかに記載の電話通信システムにおいて、ウェブページ提供手段は、発信先電話番号に対応するウェブページ画像に関する情報であるウェブページ情報を記憶する記憶手段と、操作手段で通話開始操作が行われた場合に、その通話開始操作により指定された発信先電話番号に対応するウェブページ情報を記憶手段から取得するページ情報取得手段と、ページ情報取得手段により取得されたウェブページ情報に基づくウェブページ画像を表示手段に表示させるウェブページ表示処理手段と、を備えている。
【手続補正５】
【補正対象書類名】明細書
【補正対象項目名】００１２
【補正方法】変更
【補正の内容】
【００１２】
一方、請求項５に記載の電話通信システムは、上記請求項１から請求項３のいずれかに記載の電話通信システムにおいて、操作手段、通信手段及び表示手段を有する発信元電話装置と、発信元電話装置との間で通話用の通信を確立可能に構成された発信先電話装置と、を備えたものである。そして、本電話通信システムにおいて、ウェブページ提供手段は、発信先電話装置に対応するウェブページ画像に関する情報であるウェブページ情報を記憶する記憶手段と、発信元電話装置の通信手段により発信先電話装置との間で通話用の通信を確立するための発信処理が行われたことを検出する検出手段と、検出手段により発信処理が行われたことが検出された場合に、記憶手段に記憶されている発信先電話装置に対応するウェブページ情報を取得するページ情報取得手段と、ページ情報取得手段により取得されたウェブページ情報を発信元電話装置へ送信する送信手段と、発信元電話装置に設けられ、送信手段からのウェブページ情報を受信してそのウェブページ情報に基づくウェブページ画像を表示手段に表示させるウェブページ表示処理手段と、を備えている。
【手続補正６】
【補正対象書類名】明細書
【補正対象項目名】００１５
【補正方法】変更
【補正の内容】
【００１５】
また、記憶手段によって記憶されるウェブページ情報としては、例えば請求項６又は請求項７に記載の態様が考えられる。
すなわち、請求項６に記載の電話通信システムでは、上記請求項４又は請求項５に記載の電話通信システムにおいて、記憶手段は、ウェブページ情報としてウェブページ画像のアドレス（例えばＵＲＬ）を記憶している。そして、ウェブページ表示処理手段は、ウェブページ画像のアドレスからそのウェブページ画像を表すウェブページデータを取得するデータ取得手段と、データ取得手段により取得されたウェブページデータの表すウェブページ画像を表示手段に表示させる画像表示処理手段と、を備えている。
【手続補正７】
【補正対象書類名】明細書
【補正対象項目名】００１６
【補正方法】変更
【補正の内容】
【００１６】
このような電話通信システムによれば、ウェブページ情報としてウェブページデータを記憶する構成に比べ、記憶するデータ量を小さくすることができる。
一方、請求項７に記載の電話通信システムでは、上記請求項４又は請求項５に記載の電話通信システムにおいて、記憶手段は、ウェブページ情報としてウェブページ画像を表すウェブページデータ（例えば、ＨＴＭＬ（Ｈｙｐｅｒ  Ｔｅｘｔ  Ｍａｒｋｕｐ  Ｌａｎｇｕａｇｅ）によって記述されたファイル）を記憶しており、ウェブページ表示処理手段は、ウェブページデータの表すウェブページ画像を表示手段に表示させる。
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】変更
【補正の内容】
【００２４】
次に、請求項８に記載の電話装置は、指定した発信先電話番号に対応する電話装置との間で通話用の通信を確立するための入力操作である通話開始操作が行われる操作手段と、操作手段で通話開始操作が行われた場合に、その通話開始操作により指定された発信先電話番号に対応する電話装置との間で通話用の通信を確立するための発信処理を行う通信手段と、画像を表示する表示手段と、操作手段で通話開始操作が行われた場合に、その通話開始操作により指定された発信先電話番号に対応するウェブページ情報を、発信先電話番号に対応するウェブページ画像に関する情報であるウェブページ情報を記憶している外部記憶手段から取得するページ情報取得手段と、ページ情報取得手段により取得されたウェブページ情報に基づくウェブページ画像を表示手段に表示させるウェブページ表示処理手段と、を備えている。
そして、上記ウェブページ表示処理手段は、操作手段で通話開始操作が行われ、かつ、通信手段による発信処理によって確立された通話用の通信が切断された場合に、その通話開始操作により指定された発信先電話番号に対応するウェブページ画像を表示手段に表示させることを特徴としている。
【手続補正１５】
【補正対象書類名】明細書
【補正対象項目名】００２６
【補正方法】変更
【補正の内容】
【００２６】
このような請求項８に記載の電話装置によれば、通常の電話をかける操作（通話開始操作）によってウェブページ画像が自動的に表示されるため、極めて簡単な操作によりウェブページ画像を閲覧することが可能となる。特に、本電話装置によれば、ウェブブラウザ機能を備えた従来の電話装置にページ情報取得手段及びウェブページ表示処理手段としての機能を実現するためのアプリケーション（プログラム）を組み込むといった手法により、従来の電話装置の構成を大きく変更することなく実現することができる。
また、請求項９に記載の電話装置は、指定した発信先電話番号に対応する電話装置との間で通話用の通信を確立するための入力操作である通話開始操作が行われる操作手段と、操作手段で通話開始操作が行われた場合に、その通話開始操作により指定された発信先電話番号に対応する電話装置との間で通話用の通信を確立するための発信処理を行う通信手段と、画像を表示する表示手段と、操作手段で通話開始操作が行われた場合に、その通話開始操作により指定された発信先電話番号に対応するウェブページ情報を、発信先電話番号に対応するウェブページ画像に関する情報であるウェブページ情報を記憶している外部記憶手段から取得するページ情報取得手段と、ページ情報取得手段により取得されたウェブページ情報に基づくウェブページ画像を表示手段に表示させるウェブページ表示処理手段と、を備えている。
そして、上記通信手段は、ウェブページ提供手段により表示されたウェブページ画像に対する操作が操作手段で行われるまで、発信処理により通話用の通信を確立することが禁止されていることを特徴とする。
【手続補正１６】
【補正対象書類名】明細書
【補正対象項目名】００２７
【補正方法】変更
【補正の内容】
【００２７】
次に、請求項１０に記載のプログラムは、コンピュータを、請求項８または請求項９に記載の通信手段，ページ情報取得手段（操作手段で通話開始操作が行われた場合に、その通話開始操作により指定された発信先電話番号に対応するウェブページ情報を、発信先電話番号に対応するウェブページ画像に関する情報であるウェブページ情報を記憶している外部記憶手段から取得する手段），およびウェブページ表示処理手段（ページ情報取得手段により取得されたウェブページ情報に基づくウェブページ画像を表示手段に表示させる手段）として機能させることを特徴としている。
【手続補正１７】
【補正対象書類名】明細書
【補正対象項目名】００２８
【補正方法】変更
【補正の内容】
【００２８】
このため、本プログラムによれば、電話装置のコンピュータ（例えばＣＰＵ）を上記請求項８または請求項９の電話装置として機能させることができ、これにより上述した効果を得ることができる。なお、本プログラムには、フレキシブルディスク等の磁気ディスク、光磁気ディスク、半導体製メモリなど、コンピュータ読み取り可能な記憶媒体に記憶された状態のものも含まれることは言うまでもない。
【手続補正１８】
【補正対象書類名】明細書
【補正対象項目名】００５３
【補正方法】変更
【補正の内容】
【００５３】
なお、本第１実施形態の電話通信システムでは、通信部１２と、ウェブページ表示処理（図３）におけるＳ１０１の処理とが、本発明の通信手段に相当し、入力部１４が、本発明の操作手段に相当し、表示部１５が、本発明の表示手段に相当する。また、ウェブページ表示処理（図３）におけるＳ１０２〜Ｓ１０８が、本発明のウェブページ提供手段に相当する。このうち、Ｓ１０２〜Ｓ１０５が、本発明のページ情報取得手段に相当し、Ｓ１０６〜Ｓ１０８が、本発明のウェブページ表示処理手段に相当する。特に、Ｓ１０６，Ｓ１０７が、データ取得手段に相当し、Ｓ１０８が、画像表示処理手段に相当する。一方、記憶部２３が、本発明の記憶手段に相当する。
【手続補正１９】
【補正対象書類名】明細書
【補正対象項目名】０１０１
【補正方法】変更
【補正の内容】
【０１０１】
そして、Ｓ６０２で、発信先電話番号が記憶部１６に記憶されていないと判定した場合には、本ウェブページ表示処理を終了する。つまり、発信先電話番号に対応する通話先関連ページ画像が存在しない場合には、ウェブページ画像の表示処理を行わないようにしている。
【手続補正２０】
【補正対象書類名】明細書
【補正対象項目名】０１０２
【補正方法】変更
【補正の内容】
【０１０２】
一方、Ｓ６０２で、発信先電話番号が記憶されていると判定した場合には、Ｓ６０３へ移行し、通話開始操作により指定された発信先電話番号に対応して記憶部１６に記憶されているＵＲＬを取得する。
【手続補正２１】
【補正対象書類名】明細書
【補正対象項目名】０１１３
【補正方法】変更
【補正の内容】
【０１１３】
このウェブページデータ抽出処理が開始されると、まずＳ７０１で、発信元電話番号の検出処理を行う。
続いて、Ｓ７０２では、ウェブページデータの受信処理を開始させるためのウェブページデータ受信命令を、発信元電話番号に対応する携帯電話端末１０へインターネット１を介して送信する処理を行う。なお、本実施形態では、構成を分かりやすくするために発信元の携帯電話端末１０を１台のみ示しているが、携帯電話端末１０が複数存在することも当然考えられる。この場合、本Ｓ７０２では、複数存在する携帯電話端末１０の中から、ウェブページ受信命令の送信先アドレスが必要となる。そこで、例えば、複数の携帯電話端末１０に対応するアドレス（例えば、ＩＰアドレスや、電子メールアドレス）をあらかじめ記憶部２３に記憶しておくように構成することや、携帯電話端末１０が、発信処理を行った場合に、管理装置２０へ自身のアドレス（例えば、ＩＰアドレスや、電子メールアドレス）を送信するように構成することなどが考えられる。